(57)【要約】  眼鏡、サングラス、又はその他の身の回り品を固定するホルダであり、衣料品が製造される時に該衣料品に強固に組み込まれる。ホルダは衣料品に挿入することができるベース部材を有する。ベース部材は相互接続コードに強固に取り付けることができる。コードは衣料品を貫通してベース部材に強固に添え付けられた一端と、ホルダの外部に強固に添え付けられた他端を有する。ホルダの外部は、サポートベースとループを備えたハンガーを含むことができる。ホルダにより、装着者は眼鏡のテンプル部品、又は他の身の回り品に取り付けられたフックをループを通して挿入することができ、また身の回り品を装着者の身体に対して比較的平坦な状態にすることができる。
2009532086.tif 000002
【特許請求の範囲】
【請求項１】
身の回り品を支持するホルダにおいて、ベース部材と、第１端が前記ベース部材に取り付けられたコードと、ループと該ループに接続されたサポートベースとからなるハンガーとからなり、前記サポートベースは前記コードの第２端に取り付けられ、ここで前記ベース部材は衣料品に挿入され又は取り付けられるように適合され、前記ループは前記身の回り品を支持するように適合されているホルダ。
【請求項２】
前記ベース部材は第１貫通穴を有し、前記コードの第１端は第１貫通穴を通すことで前記ベース部材に添え付けられている請求項１に記載のホルダ。
【請求項３】
前記コードが前記第１貫通穴から外れるのを防止するために、前記コードに添え付けられたクロージャー装置をさらに有する請求項２に記載のホルダ。
【請求項４】
前記ベース部材は衣料品の所望の場所に合うように形成されている請求項１に記載のホルダ。
【請求項５】
前記ベース部材は形状が矩形である請求項１に記載のホルダ。
【請求項６】
前記サポートベースは第２貫通穴を有し、前記第２貫通穴は前記サポートベースの縦方向及び横方向の中心にあり、前記コードは前記サポートベースのほぼ垂直な方向に前記第２貫通穴を通過している請求項１に記載のホルダ。
【請求項７】
前記第１貫通穴は前記ベース部材の任意の部分に位置している請求項２に記載のホルダ。
【請求項８】
前記サポートベースは前記ループより大きな径を有する弾性管状リング又は円筒からなる請求項１に記載のホルダ。
【請求項９】
前記サポートベースは透明材料又は任意の色の材料からなる請求項１に記載のホルダ。
【請求項１０】
前記ループは約０．１インチから約０．５インチの径を有し、完全に延びたときには約０．２５インチから約１．５インチに延びる被覆された繊維弾性ループである請求項１に記載のホルダ。
【請求項１１】
前記ループは金属、繊維、又はプラスチックのような成形弾性材料で作られている請求項１に記載のホルダ。
【請求項１２】
前記ループは透明材料又は任意の色の材料からなる請求項１に記載のホルダ。
【請求項１３】
前記ループは眼鏡のテンプル部品又は他の身の回り品に取り付けられたフックを収容するように形成されている請求項１に記載のホルダ。
【請求項１４】
前記ループは製造者のロゴ又は装飾形状を似せたように形成されている請求項１に記載のホルダ。
【請求項１５】
前記コードは金属、プラスチック、又は繊維のワイヤ、ケーブル、ひも、又はより糸からなる請求項１に記載のホルダ。
【請求項１６】
前記ベース部材を前記ハンガーに強固に添え付けるための弾性クロージャーをさらに有する請求項１に記載のホルダ。
【請求項１７】
前記ベース部材は弾性繊維、プラスチック又は金属材料からなる請求項１に記載のホルダ。
【請求項１８】
前記サポートベースは弾性繊維、プラスチック又は金属材料からなる請求項１に記載のホルダ。
【請求項１９】
前記サポートベースは製造者のロゴ又は装飾形状を似せたように形成されている請求項１に記載のホルダ。
【請求項２０】
前記ベース部材は透明材料又は任意の色の材料からなる請求項１に記載のホルダ。
【請求項２１】
前記クロージャー装置は前記ベース部材の第１貫通穴より大きなサイズである結び目又は矩形の物体である請求項２に記載のホルダ。
【請求項２２】
前記クロージャー装置はほぼクリップ形状に似せて形成され、前記ベース部材の第１貫通穴よりもサイズが大きい請求項２に記載のホルダ。
【請求項２３】
前記ベース部材は貫通穴がなく、前記コードの第１端は該コードの第１端を前記ベース部材に添え付けることで前記ベース部材に添え付けられている請求項１に記載のホルダ。
【請求項２４】
前記コードは回転可能に装着されたコードである請求項１に記載のホルダ。
【請求項２５】
ループと該ループに接続されたサポートベースからなるハンガーを有するホルダを製造する方法において、
コードの第１端をベース部材に添え付け、
前記コードの第２端を前記サポートベースに添え付け、
前記ベース部材を衣料品の製造中に該衣料品の中又は上に添え付け、
ここで前記ループは身の回り品を支持するように適合されている方法。
【請求項２６】
第１端を有するコードを設けることは、クロージャー装置を前記コードに添え付けることからなる請求項２５に記載の方法。
【請求項２７】
さらに、前記コードを前記サポートベースの貫通穴を介して添え付け、前記コードを衣料品に通し、前記ベース部材を前記衣料品に固定することからなる請求項２５に記載の方法。
【請求項２８】
前記コードは、衣料品を損傷することなく衣料品に針を通して輪にされて、前記ベース部材に通すのを促進している請求項２５に記載の方法。
【請求項２９】
前記コードの第１端を前記ベース部材に添え付けることは、前記コードの第１端を前記ベース部材の貫通穴に通すことからなる請求項２５に記載の方法。
【請求項３０】
前記コードの第１端を前記ベース部材に添え付けることは、前記コードの第１端を前記ベース部材に添え付けることからなる請求項２５に記載の方法。
【発明の詳細な説明】
【技術分野】
【０００１】
本発明は、身の回り品用ホルダ、さらに詳しくは衣料品が製造されるときに衣料品に付けることができる眼鏡ホルダに関する。
【背景技術】
【０００２】
眼鏡ホルダは、一般に、装着していない眼鏡を保管するケース又はポーチからなり、ユーザは通常それを財布又はポーチに入れて運んでいた。あるタイプの眼鏡ホルダは、コード又は装飾的ネックレスの形態であり、コードの両端に眼鏡のテンプルを受け入れるループを有し、ユーザの首の回りに付けられる。
ループを有する。
【０００３】
ユーザにより別個に購入され、一時的に衣料品に取り付けられる他のタイプの眼鏡ホルダは、米国特許第５５５１１２６号、第５４９１８７８号、第５９５６８１２号、第５０３３６１２号、第４８９４８８７号、第５３５１０９８号、第５８６０１９１号及び第５８９３１９８号に開示されている。米国特許第５５１１２６号に開示に開示されたタイプの眼鏡ホルダは、衣服の前に縫い付けられているボタンを使用して、ユーザがハンガーを衣料品に取り付ける必要がある。米国特許第５４９１８７８ｌ号、第５９５６８１２号に開示されたタイプの眼鏡ホルダは、受け具とホルダーを所望の衣料品に固着するためのクリップ又はクランプを使用する。米国特許第５０３３６１２号に開示されたタイプの眼鏡ホルダは、取り外し可能なノンクリップピンを利用しているが、これはユーザが衣服を着るときに貫通させる必要がある。米国特許第４８９４８８７号、第５３５１０９８号及び第５８６０１９１号に開示されたタイプの眼鏡ホルダは、バネ無し引張り依存の折り畳み型のクリップ、洗濯挟み型のホルダとスプリングクリップの組み合わせを使用している。米国特許第５８９３１９８号に開示されたタイプの眼鏡ホルダは、装飾ネックレスを具体化した軸回転ホルダを使用し、これはユーザの首の回りに付ける。
【０００４】
従来の眼鏡ホルダは、ユーザが別個のホルダ又は複数の別個のホルダを購入する必要があるが、これは衣料品のデザインを変更し、繊維を損傷し、眼鏡のテンプル部品に損傷を与えることがある。さらに、これらのデザインは衣料品とは別にホルダを購入するだけではなく、着用するときにホルダを衣服に付ける必要がある。加えて、あるデザインはホルダが取り付けられる衣服をある厚さに限定している。したがって、簡単で、容易に製造することができ、好ましくはその製造時に衣料品に強固に付けることができ、衣料品から不容易に外れることがない、デザインがなされた眼鏡、又は他の個人的品目用のホルダの必要性がある。
【特許文献１】米国特許第５５５１１２６号
【特許文献２】米国特許第５４９１８７８号
【特許文献３】米国特許第５９５６８１２号
【特許文献４】米国特許第５０３３６１２号
【特許文献５】米国特許第４８９４８８７号
【特許文献６】米国特許第５３５１０９８号
【特許文献７】米国特許第５８６０１９１号
【特許文献８】米国特許第５８９３１９８号
【発明の開示】
【０００５】
本発明の実施形態は、身の回り品を支持するホルダに関し、第１貫通穴を有するベース部材と、前記第１貫通穴に挿入される第１端を有するコードと、ループと該ループに接続されたサポートベースからなるハンガーとからなっている。サポートベースはコードの第２端に添え付け（affix）られてもよく、ベース部材は衣料品に挿入され、又は取り付けられるように適合されていてもよい。ループは身の回り品を支持するように適合されてもよい。身の回り品との用語は、例示として、眼鏡、サングラス、ｉＰＯＤのようなメディアプレーヤー、又は携帯電話を含んでいてもよい。
【０００６】
好ましくは、コードは回転可能に装着されている。好ましくは、回転可能に装着されたコードが第１貫通穴から滑り出るのを防止するために、回転可能に装着されたコードにクロージャー装置（closure device）が添え付けられている。好ましくは、ベース部材は形状が矩形である。他の実施形態では、ベース部材は衣料品の所望の場所に合うように形成されている。
【０００７】
一つの実施形態では、第１貫通穴はベース部材の任意の部分に位置していてもよい。好ましくは、ベース部材はサポートベースの縦方向と横方向の中心にある第１貫通穴を有し、回転可能に装着されたコードは好ましくはサポートベースにほぼ垂直な方向に第２貫通穴を通過している。好ましくは、第１と第２貫通穴は回転可能に装着されたコードより大きな径を有する。
【０００８】
一つの実施形態では、サポートベースはループよりも大きな径を有する弾性管状リング又は円筒からなる。一つの実施形態では、サポートベースは透明材料又は任意の色の材料からなる。好ましくは、ループは、径が約０．５インチで、完全に延びたときに約１．５インチに延びる被覆された繊維弾性ループ（covered fabric elastic loop）である。好ましくは、ループは金属、繊維又はプラスチックのような成形された弾性材料からなる。一つの実施形態では、ループは眼鏡のテンプル部品又は他の身の回り品に取り付けられたフックを収容するように形成されている。一つの実施形態では、ループは製造者のロゴ又は他の装飾形状に似るように形成されている。
【０００９】
一つの実施形態では、回転可能に装着されたコードは、繊維を損傷することなく衣服の穿孔を促進し、ベース部材の貫通を促進するために、針を通して輪にされている。好ましくは、回転可能に装着されたコードは金属、プラスチック又は繊維ワイヤ、ケーブル、ひも又はより糸からなる。
【００１０】
好ましくは、ホルダはさらにベース部材をハンガーに強固に添え付ける弾性クロージャー（resilient closure）からなる。好ましくは、ベース部材は弾性繊維、プラスチック又は金属材料からなる。好ましくは、サポートベースは弾性繊維、プラスチック又は金属材料からなる。一つの実施形態では、サポートベースは製造者のロゴ又は他の装飾形状に似せて形成されている。他の実施形態では、ベース部材は透明材料、又は任意の色の材料からなる。
【００１１】
好ましくは、クロージャー装置は矩形であり、ベース部材の第１貫通穴よりサイズが大きい。１つの実施形態では、クロージャー装置はタイピンのようなクリップにほぼ似せて形成され、ベース部材の第１貫通穴よりサイズが大きい。１つの実施形態では、クロージャー装置はベース部材の第１貫通穴よりサイズが大きいコードの結び目である。
【００１２】
さらに他の実施形態は、ループと該ループに接続されたサポートベースからなるハンガーを有するホルダの製造方法に関し、該方法は、回転可能に装着されたコードの第１端をベース部材に添え付けし、回転可能に装着されたコードの第２端をサポートベースに添え付けし、ベース部材を衣料品の製造中に該衣料品の中に又はその上に添え付けることからなる。好ましくは、第１端を有する回転可能に装着されたコードを提供することは、さらに、クロージャー装置を回転可能に装着されたコードに添え付けることからなる。前記方法はさらに、回転可能に装着されたコードをサポートベースの貫通穴を介して添え付けし、回転可能に装着されたコードを衣料品を貫通させ、ベース部材を衣料品に固定することからなる。好ましくは、回転可能に装着されたコードは、衣料品を損傷することなく衣料品に針を通して輪にされて、ベース部材に通すのを促進している。好ましくは、回転可能に装着されたコードの第１端をベース部材に添え付けることは、回転可能に装着されたコードの第１端をベース部材の貫通穴に通すことからなる。好ましくは、回転可能に装着されたコードの第１端をベース部材に添え付けることは、回転可能に装着されたコードの第１端をベース部材に取り付けることからなる。
【００１３】
この発明の追加の利点は、以下の詳細な説明から当業者に容易に明らかになるであろう。ここで、単にこの発明を実施するように企図された最良の形態を図示することで、この発明の好ましい実施形態のみが示され、記載されている。図面及び説明は本来例示であり、制限するものではないとみなされている。
【発明を実施するための最良の形態】
【００１４】
本発明のこれらの特徴及び他の特徴、局面及び利点は、以下の説明、請求の範囲及び添付図面を参照することでより良く理解される。
【００１５】
図面を通して、明瞭かつ簡潔にするために、類似の要素及び部品には同一の符号及び盆号が付されている。
【００１６】
この発明の実施形態は、本来的に構成が簡単で、製造するのが安価であり、着用者にとって操作の勝手がよいホルダを提供することができる。
【００１７】
この発明の他の実施形態は、衣料品の製造時に該衣料品に組み付け、取り付け、強固に添え付けられるホルダを提供することができる。
【００１８】
この発明の他の実施形態は、比較的目立たないか、あるいは衣料品の所望のデザインに依存して製造者のロゴの形態にすることができるホルダを提供することができる。
【００１９】
この発明の他の実施形態は、ポケット、わきあきベルト（placket band）、袖、襟又はベルト環のような衣料品の任意の部分に、繊維を損傷することなく、また衣服のデザインを変えることなく容易に強固に添え付けることができるホルダを提供することができる。
【００２０】
この発明の他の実施形態は、広範囲の厚さの眼鏡のテンプルを収容するのに十分に可撓性があり、眼鏡を強固に固定してホルダからの眼鏡の意図的でない分離に抵抗するために眼鏡を回転することができる弾性ループを備えたホルダを提供することができる。
【００２１】
この発明の他の実施形態では、他のタイプの身の回り品に取り付けられたフックを収容することができ、該身の回り品を強固に固定してホルダからの当該品の意図的でない分離に抵抗するために回転することができる弾性又は弾力のあるホルダを提供することができる。
【００２２】
前述の実施形態及び他の特徴及び利点は、構成が簡単で、衣料品に容易に、目立たず、安価に、衣料品に挿入し取り付けることができ、好ましくは衣料品の製造時に衣服にホルダを強固に固定することができるベース部材を有するホルダによって達成される。ベース部材は、衣料品に通されベース部材に強固に固定された一端と、ホルダの外部品に強固に添え付けられた他端とを有するコードに貫通穴を通して強固に取り付けられる。ホルダの外部品は、サポートベースと、一つの実施形態では、円形又は楕円系の可撓性の弾性ループとからなるハンガーを含むことができる。この可撓性の弾性ループは、種々のサイズで作ることができ、１つの実施形態では、約０．５インチであり弾性が完全に延びたときには約１．５インチまで延びる。サポートベースとループは、製造者のロゴを具体化するように特注生産することもできる。ハンガーは、ユーザが１対の眼鏡のテンプル部品、又は他のタイプの身の回り品に取り付けられたフックに挿入することができるように設計されている。眼鏡又は他の身の回り品は個人の身体に対して平坦な姿勢をとることができる。このデザインはまた、ユーザが動いたときでも、ホルダから眼鏡又は身の回り品の意図しない分離に抵抗するために、枢軸回転（pivotal rotation）を備えることもできる。
【００２３】
図１は、普通のゴルフシャツを示す。このようなデザインは、衣料品が折り畳まれて縫製された前閉じ部の底に、典型的にはほぼ矩形の領域１を有する。
【００２４】
図２は、眼鏡又は他の身の回り品のホルダの一つの実施形態の例を示す。図２では、ホルダは第１貫通穴１２を備えたベース部材１０からなる。ベース部材１０は矩形であってもよいし、図１に示すようなほぼ矩形の領域１のような衣料品の所望の場所に適合するように形成されていてもよい。ベース部材１０は透明材料、又は如何なる色の材料で作られていてもよい。ベース部材１０に適した材料は弾性のある繊維、プラスチック又は金属であってもよい。第１貫通穴１２はベース部材１０の如何なる場所に配置してもよい。
【００２５】
ホルダはまた、ループ１８に接続しているサポートベース１６からなるハンガー１４を有する。サポートベース１６は、ループ１８に添え付けるためにループ１８より大きな径を有する弾性管状リング又は円筒を含んでいてもよい。ループ１８は、眼鏡のテンプル部品又は他の身の回り品に取り付けられたフックを収容するように形成されていてもよい。ループ１８は透明材料又は如何なる色の材料で作られていてもよい。ループ１８に適した材料は、金属、繊維、又はプラスチックのような弾性材料であってもよい。ループ１８は、覆いのある繊維弾性ループ（covered fabric elastic loop）であってもよく、好ましくは約０．５インチの径で、完全に延びると約１．５インチに延びる径である。サポートベース１６は透明材料、又は任意の色の材料で作られていてもよい。サポートベース１６に適した材料は、弾性のある繊維、プラスチック又は金属であってもよい。サポートベース１６とループ１８は、製造者のロゴ又は他の装飾形状と似るように形成されてもよい。
【００２６】
サポートベース１６には、コード２２が第２貫通穴２０を介して接続されている。コード２２は、一端がサポートベース１６に強固に添え付けられ、他端がベース部材１０の第１貫通穴１２に通されている。第２貫通穴２０はサポートベース１６に縦方向及び横方向の中心に設けられ、コード２２がサポートベース１６にほぼ垂直な方向に第２貫通穴２２を通過するようになっている。コード２２は、装着者が動いたときに軸回転によるホルダから品物の意図しない分離に抵抗するために、回転可能に装着されていてもよい。
【００２７】
ハンガー１４は、ベース部材１０に強固に添え付けることができる。ベース部材１０は、好ましくは衣料品が製造されるときに、クロージャー（closure）２４を使用して衣料品に挿入されている。クロージャー２４は、一つの実施形態では、矩形で、ベース部材１０の第１貫通穴１２より大きなサイズにすることができる。他の実施形態では、クロージャー２４は、実質的にクリップ形状に形成することができる。
【００２８】
コード２２を使用して、ハンガー１４は衣料品に通すことができる。それはベース部材１０の第１貫通穴１２に通すことができ、コード２２は前述のクロージャー２４を使用してベース部材１０に永久的に固定することができる。コード２２は、繊維を損傷することなく衣服の穿孔を促進し、ベース部材１０への挿通を促進するために、鋭利端を有し、又は針を通すループにすることができる。一つの実施形態では、ベース部材１０の第１貫通穴１２は、サポートベース１６の第２貫通穴２０と同じ径を有していてもよく、両貫通穴はコード２２の径よりも僅かに大きくてもよい。残りのコード２２は切断して捨ててもよい。コード２２はワイヤ、ケーブル、ひも又はより糸であってもよい。コード２２に適した材料は金属、プラスチック又は繊維であってもよい。次に、ベース部材１０は、衣料品の繊維の折り重ね部に縫い込んで、事実上見えなくしてもよい。ループ１８とサポートベース１６は衣料品に直接組み込んでもよい。
【００２９】
前述したことから、ホルダは極めて構造が簡単で、製造が安価で、ユーザに便利であることが容易に理解される。無数の身の回り品をホルダから意図しない分離に抵抗するように強固に支持することができる。ホルダは繊維を損傷することなく衣料品の任意の部分に適切に支持してもよく、また衣料品の製造者により指図されたような衣服のデザインの様式に容易に適合させてもよい。前述したホルダは垂直又は水平のいずれの状態にも装着することができ、衣料品（例えばシャツ、ズボン又はジャケット）の異なる位置（例えばポケット、わきあきバンド、袖、襟又はベルト環）に設置してもよい。
【００３０】
図３は、眼鏡ホルダとしての実施形態を示す。ベース部材１０は衣服の折り畳み部の下（ループ１８を収容する矩形領域）にあり、衣服の折り畳み部内に取り囲まれているので前又は後ろのいずれからも見えない。
【００３１】
本発明は特定の実施形態に関して説明し、図３に示すような眼鏡ホルダを例示したが、他の代案、特にサングラスや他の身の回り品（例えば、ｉＰＯＤのようなメディアプレーヤーや携帯電話）を保持するように設計されたものも可能である。他の変形例は、前述のベース部材１０やコード２２を用いずに衣料品に添え付けるように設計されたもの、衣料品でないアクセサリ（例えばハンドバック）に添え付けるように意図されたもの、同一又は実質的に類似の特徴を使用する他の適用物を含む。したがって、特許請求の範囲の精神及び範囲はここに含まれる実施例に限定されるべきではない。特定の動作要求や環境に適合するように変化させる他の修正や変更は当業者に明らかであるので、本発明は開示のために選択された例に制限されるとは考えられないし、本発明の真正な精神と範囲から逸脱しない全ての変更や修正を包含する。
【図面の簡単な説明】
【００３２】
【図１】典型的なゴルフシャツの前の斜視図（従来技術）。
【図２】本発明によるホルダの一つの実施形態の斜視図を示す。
【図３】本発明によるホルダとこれに支持された眼鏡の一つの実施形態の斜視図。
【符号の説明】
【００３３】
１  矩形の領域
１０  ベース部材
１２  第１貫通穴
１４  ハンガー
１６  サポートベース
１８  ループ
２０  第２貫通穴
２２  コード
２４  クロージャー
【図１】
2009532086.tif 000003
【図２】
2009532086.tif 000004
【図３】
2009532086.tif 000005
【手続補正書】
【提出日】平成20年12月19日(2008.12.19)
【手続補正１】
【補正対象書類名】図面
【補正対象項目名】全図
【補正方法】変更
【補正の内容】
【図１】
2009532086.tif 000006
【図２】
2009532086.tif 000007
【図３】
2009532086.tif 000008
【国際調査報告】
2009532086.tif 000009